(57)【特許請求の範囲】
【請求項１】
基部がベースに枢着された第１アームと、この第１アームと平行リンクを形成する第２アームとの先端に装飾部材を支持させ、第１アームを上下方向に揺動することにより装飾部材を昇降させるとともに、ベースに設けたカムによって昇降工程中に第２アームの基部を第１アームの基部に対して装飾部材から離れる方向に移動させることにより、装飾部材に近似直線運動を行わせることを特徴とする遊技機の可動装飾装置。
【請求項２】
前記カムの側面に突設したピンを第１アームの溝部に嵌合させ、第１アームを揺動させることを特徴とする請求項１に記載の遊技機の可動装飾装置。
【請求項３】
第２アームの基部を揺動リンクに枢着し、この揺動リンクを前記カムによって揺動させることにより、昇降工程中に第２アームの基部を第１アームの基部に対して装飾部材から離れる方向に移動させることを特徴とする請求項１に記載の遊技機の可動装飾装置。
【請求項４】
前記カムを、その側面に突設したピンが第１アームの溝部から離脱する方向に回転させ、装飾部材に自由落下運動を生じさせることを特徴とする請求項２に記載の遊技機の可動装飾装置。
【発明の詳細な説明】
【技術分野】
【０００１】
本発明は、パチンコ遊技機の盤面に装着されて入賞時の演出効果を高める遊技機の可動装飾装置に関するものであり、特に昇降式の可動装飾装置に関するものである。
【背景技術】
【０００２】
パチンコ遊技機の可動装飾装置には従来から各種の構造のものが用いられているが、昇降式の可動装飾装置としては、特許文献１に記載のように可動アームの先端に装飾部材を取り付け、この可動アームをモータを利用して揺動させる構造が一般的であった。しかしこの構造では装飾部材に円弧状の昇降運動をさせることしかできず、装飾部材を直線的に上下動させることはできなかった。
【０００３】
なお、エアシリンダやチェーンを利用すれば装飾部材に直線的な昇降運動を行わせることは可能となる。しかし、パチンコ遊技機の盤面は機構を設置可能なスペース上の制約が厳しく、また動力源は実質的に小型モータに限定されるため、装飾部材の駆動にエアシリンダやチェーンを利用することは困難であった。
【先行技術文献】
【特許文献】
【０００４】
【特許文献１】特開２００３−１９０４０１号公報
【発明の概要】
【発明が解決しようとする課題】
【０００５】
従って本発明の目的は上記した従来の問題点を解決し、小型のモータによって駆動されるリンク機構によって、装飾部材にほぼ直線的な昇降運動を行わせることができる遊技機の可動装飾装置を提供することである。
【課題を解決するための手段】
【０００６】
上記の課題を解決するためになされた本発明の遊技機の可動装飾装置は、基部がベースに枢着された第１アームと、この第１アームと平行リンクを形成する第２アームとの先端に装飾部材を支持させ、第１アームを上下方向に揺動することにより装飾部材を昇降させるとともに、ベースに設けたカムによって昇降工程中に第２アームの基部を第１アームの基部に対して装飾部材から離れる方向に移動させることにより、装飾部材に近似直線運動を行わせることを特徴とするものである。
【０００７】
なお請求項２のように、前記カムの側面に突設したピンを第１アームの溝部に嵌合させ、第１アームを揺動させる構造とすることが好ましい。また請求項３のように、第２アームの基部を揺動リンクに枢着し、この揺動リンクを前記カムによって揺動させることにより、昇降工程中に第２アームの基部を第１アームの基部に対して装飾部材から離れる方向に移動させることが好ましい。さらに請求項４のように、前記カムを、その側面に突設したピンが第１アームの溝部から離脱する方向に回転させ、装飾部材に自由落下運動を生じさせることができる。
【発明の効果】
【０００８】
本発明によれば、第１アームと第２アームとによって形成される平行リンクを利用し、モータによって装飾部材を昇降させる際に、カムによって第２アームの基部を第１アームの基部に対して装飾部材から離れる方向に移動させることにより、装飾部材に近似直線運動を行わせることができる。この運動は厳密には直線運動ではないものの、遊技者の目には直線運動として認識され、従来とは異なった面白さを感じさせることができる。
【０００９】
なお、請求項３のように同一のカムの回転を利用して近似直線運動を行わせることができ、複雑な制御は不要である。また請求項４のようにカムを、その側面に突設したピンが第１アームの溝部から離脱する方向に回転させて装飾部材に自由落下運動をさせることも可能となり、更に興趣を増すことも可能となる。
【図面の簡単な説明】
【００１０】
【図１】実施形態の可動装飾装置を遊技機の正面側から見た斜視図である。
【図２】図１の状態における機構部分を示す背面図である。
【図３】カムの形状を示す正面図、側面図、背面図である。
【図４】従来の円弧状の昇降運動を示す説明図である。
【図５】本発明による近似直線運動を示す説明図である。
【図６】ベースの背面図である。
【図７】装飾部材が上昇位置にある状態を示す正面図である。
【図８】装飾部材が途中位置にある状態を示す正面図である。
【図９】装飾部材が最下降位置にある状態を示す正面図である。
【図１０】自由落下の開始状態を示す正面図である。
【図１１】自由落下の終了状態を示す正面図である。
【発明を実施するための形態】
【００１１】
以下に本発明の好ましい実施形態を説明する。
図１は実施形態の可動装飾装置を遊技機の正面側から見た斜視図であり、内部構造を分かり易くするために装飾部材５が最も降下した状態を示している。また図２はこの状態の機構部分を示す背面図である。
【００１２】
これらの図において、１は遊技盤の上部に取り付けられる偏平なボックス状のベースであり、その一方の端部付近には水平な第１軸２によって第１アーム３の基部が枢着されている。この第１アーム３は第１軸２を中心として上下方向に揺動可能なアームであり、その先端には第２軸４によって、装飾部材５が枢着されている。装飾部材５は円で示したが、さまざまな形状とすることができ、また装飾部材５上に更に装飾部材を搭載することもできる。また６は第２アームであり、その先端は第３軸７によって装飾部材５に枢着されている。この第２アーム６の基部は、図２に示されるＬ字状の搖動リンク８の屈曲部に第４軸９によって枢着されている。
【００１３】
図１、図２に示す装飾部材５が最も降下した状態では、第１軸２、第２軸４、第３軸７、第４軸９は平行四辺形の頂点位置にあり、かつ第２軸４と第３軸７は垂直であり、また第１軸２と第４軸９も垂直である。このため第１アーム３と第２アーム６とは平行リンクを形成し、装飾部材５をその中心線が垂直となるように保持している。なお図１０に示すように装飾部材５が上昇位置にある状態においても、第２軸４と第３軸７は垂直であり、また第１軸２と第４軸９も垂直である。
【００１４】
図１に示されるように、ベース１の内部には水平軸１０に支持されたカム１１が設けられている。このカム１１の形状は図３に示される通りであり、外周のギア１２をベース１の背面の小型モータ１３により駆動されるモータギア１４とかみ合わせることによって、正逆両方向に回転することができる。このカム１１の側面にはピン１５が突設されている。また第１アーム３の基部上方には側方が開口した溝部１６が設けられており、図１に示すようにこの溝部１６にピン１５を嵌合させた状態でカム１１を回転させることにより、第１アーム３を第１軸２を中心として上下方向に揺動させることができる。
【００１５】
このようにして第１アーム３を上下方向に揺動させれば、第１アーム３と平行リンクを形成している第２アーム６も追従して揺動するため、装飾部材５を傾斜させることなく、すなわち中心線を垂直に維持したまま、装飾部材５を昇降させることができる。しかしこのままでは装飾部材５の昇降軌跡は図４に示すように円弧となり、従来の昇降機構と変わらない。そこで本発明では図５に示すように、昇降の途中の第１アーム３及び第２アーム６が水平に近づいた状態のときに、第２アーム６の基部の第４軸９を第１アーム３の基部の第１軸２に対して装飾部材から離れる方向（以下、後方）に移動させることにより、装飾部材５に近似直線運動を行わせるようにした。
【００１６】
このために、ピン１５による第１アーム３の昇降運動と連動させて、第４軸９を支持しているＬ字状の搖動リンク８をカム１１によって揺動させる。すなわち、図２に示すようにＬ字状の搖動リンク８の先端の当接部１７をカム１１のカム面と接触させ、搖動リンク８を第１軸２を中心として、図２における時計方向（図１、図５における反時計方向）に揺動させる。これによって第４軸９は図５のように後退し、第３軸７を第１軸２の方向に後退させる。この結果、装飾部材５は中心軸を僅かに傾斜させながら全体としては第１軸２側に引き寄せられ、昇降の軌跡は図４に見られるような円弧運動から中央部分の膨らみを除いたような近似直線となる。
【００１７】
ただしこの動きは完全な直線ではなく、また装飾部材５は図４の場合には平行リンクによって中心線を常に垂直に維持されているのに対して、図５の場合には昇降の途中で中心線は外側に傾き、その後に垂直に復帰する動きとなる。しかしこのような細かな動きは遊技者の目にとまりにくく、装飾部材５がほぼ直線的に昇降するかのように見える。
【００１８】
なお図６に示すように、搖動リンク８はコイルバネ１８によって当接部１７がカム１１のカム面と常に接触するように付勢されている。また図２に示すように第１軸２の周囲にはトーションバネ１９が設けられ、第１アーム３に上向きの力を与えている。これは装飾部材５を上昇させる際のモータ１３の負荷を軽減させるためである。装飾部材５には更に他の装飾機器を搭載することができ、そのような場合には装飾部材５の重量が重くなるが、トーションバネ１９の強度を適切に設定しておけば、小型のモータ１３によって無理なく上昇させることが可能となる。なおこのモータ１３は、ステッピングモータのような回転角度を正確に制御できるモータであることが望ましい。
【００１９】
このように構成された本発明の可動装飾装置は、図７に示す通常状態においては装飾部材５が上端位置まで持ち上げられているが、入賞状態等の際にカム１１をモータ１３によって時計方向に回転させると、図８のように第１アーム３は下向きに揺動して装飾部材５を下降させる。この中間状態においてはカム１１により搖動リンク８が図８における反時計方向に揺動され、第４軸９を後退させるので、装飾部材５は近似直線を描きながら降下し、図９のように最降下状態となる。この最降下状態では搖動リンク８は時計方向に戻るため、第４軸９の位置は図７に示す通常状態と同一位置になる。このようにして装飾部材５をほぼ垂直に降下させることができ、従来にない面白さを感じさせることができる。なお、図９の状態からカム１１を逆回転させれば装飾部材５は再び図７に示す通常状態に戻るが、このときトーションバネ１９が装飾部材５の上昇を補助することとなる。
【００２０】
上記した装飾部材５の下降運動は、カム１１の回転速度に応じて比較的低速で行われるが、図７に示した通常状態から図１０のようにカム１１を反時計方向に回転させると、カム１１のピン１５は第１アーム３の溝部１６の開口側に移動して溝部１６から外れる。この結果、第１アーム３はカム１１による拘束がなくなるため、装飾部材５の重量によって自由落下運動を行わせることができる。図１１は自由落下終了状態を示す。このような自由落下は上記したカム１１による降下よりもはるかに高速で行われるので、遊技者に異なった面白さを感じさせることができる。なおこの際の衝撃を避けるために、ベース１の内部底面の第１アーム３が衝突する位置にエラストマー等からなる防振板を設けて振動を吸収させることが好ましい。
【００２１】
また図１１に示す自由落下終了状態においては、カム１１のピン１５は第１アーム３の溝部１６から離脱している。このためモータ１３によってカム１１を反時計方向に回転させて図９のようにピン１５を溝部１６に嵌合させたうえ、再び図２に示すセンサ２０によって原点位置検出板２１が検出される図７に示す通常状態に戻すことが好ましい。
【００２２】
以上に説明したように、本発明の可動装飾装置は小型のモータ１３によって駆動される平行リンク機構によって、装飾部材５にほぼ直線的な昇降運動を行わせることができ、従来にない面白さを遊技者に感じさせることができる。また実施形態に示したようにカム１１を逆転させれば、装飾部材５に自由落下運動を行わせることもでき、更に興趣を高めることができる。
【符号の説明】
【００２３】
１  ベース
２  第１軸
３  第１アーム
４  第２軸
５  装飾部材
６  第２アーム
７  第３軸
８  搖動リンク
９  第４軸
１０  水平軸
１１  カム
１２  ギア
１３  モータ
１４  モータギア
１５  ピン
１６  溝部
１７  当接部
１８  コイルバネ
１９  トーションバネ
２０  センサ
２１  原点位置検出板
【図１】
0005953466.tif 000002
【図２】
0005953466.tif 000003
【図３】
0005953466.tif 000004
【図４】
0005953466.tif 000005
【図５】
0005953466.tif 000006
【図６】
0005953466.tif 000007
【図７】
0005953466.tif 000008
【図８】
0005953466.tif 000009
【図９】
0005953466.tif 000010
【図１０】
0005953466.tif 000011
【図１１】
0005953466.tif 000012